(57)【要約】  本発明は、携帯用物品（１）に関する。この携帯用物品は、支持部（６）上に配置され、保持される少なくとも１つの透明な又は半透明の装飾要素を含む。この要素は、宝石の形態及び外観をとる。携帯用物品は、そこを通る光の反射又は屈折により要素を通る視覚効果をもたらすように、少なくとも支持部（６）の或る部分と支持部上に保持される装飾要素（２）との間に配置された、発光材料層（１０）をさらに含む。
2011527198.tif 000002
【特許請求の範囲】
【請求項１】
支持部（６）上に配置され保持される少なくとも１つの透明な又は半透明で、宝石の形態及び外観をとる装飾要素（２）を含み、発光材料層（１０）が、少なくとも前記支持部（６）の一部分と該支持部上に保持される該装飾要素（２）との間に配置されて、該要素を透過する光の反射及び屈折により該要素を通じた視覚効果をもたらすようにされ、該装飾要素は、幾つかのファセットがカットされたパビリオン（３）と、同じくファセットがカットされ、テーブル（５）が設けられたクラウンとを含み、前記パビリオンは、切頭形にされている、携帯用物品であって、該支持部の底部に対向する該装飾要素（２）の前記切頭形パビリオンの表面（１１）は、前記発光材料層（１０）から０．２５ｍｍの距離をおいて配置されることを特徴とする携帯用物品（１）。
【請求項２】
前記支持部の横壁（７）も、前記発光材料層（１０）によって覆われていることを特徴とする、請求項１に記載の携帯用物品。
【請求項３】
前記支持部（６）は、ドームであり、該支持部の前記底部（８）が平坦で、前記横壁（７）が円形及び円筒形であり、１つの装飾要素（２）のみを保持することができ、前記発光材料層（１０）は燐光タイプのものであることを特徴とする、前記請求項のいずれかに記載の携帯用物品。
【請求項４】
前記支持部（６）は、前記携帯用物品のハウジング内に摺動により挿入することができ、固定手段により固定することができる部分であることを特徴とする、請求項１〜３ののいずれかに記載の携帯用物品。
【請求項５】
前記支持部（６）は、接着により前記ハウジングの内部に固定されることを特徴とする、請求項４に記載の携帯用物品。
【請求項６】
前記物品は、少なくとも時計ケース、文字板、及びタイムベースを含む腕時計の形態をとることを特徴とする、請求項１〜５のいずれかに記載の携帯用物品。
【請求項７】
前記腕時計の文字板（１）は、１つ又はそれ以上の装飾要素のための支持部として働くことを特徴とする、請求項６に記載の携帯用物品。
【請求項８】
前記腕時計の文字板及び／又は前記時計ケースは、１つ又は幾つかの装飾要素（２）のための支持部として働くことを特徴とする、請求項６に記載の携帯用物品。
【請求項９】
幾つかの装飾要素（２）を単一の支持部内に配置し保持することができることを特徴とする、請求項６〜８までのいずれかに記載の携帯用物品。
【発明の詳細な説明】
【技術分野】
【０００１】
本発明は、一般に、装飾効果を有する携帯用の物品に関する。この物品は、支持部に配置され、保持された、少なくとも１つの透明な又は半透明の装飾要素を含む。前述の要素は、宝石の形状及び外観を有する。
【背景技術】
【０００２】
内部に装飾要素を配置することによって美的外観が改善されるようにした、腕時計のような携帯用物品が、従来技術において知られている。通常、これらの装飾要素は、支持体、一般的にはドーム状の支持体に固定され、この支持体は、時計のケースに直接鋳込むことができるようにするか、又は、時計への後付けのために要素が配置された付加部品とすることができる。これらの装飾要素は、本物の宝石とすることもできるが、鉛ガラス、光沢のあるプラスチック、ガラス、又は水晶のような要素とすることもできる。
【０００３】
装飾要素の輝きを増大させることによって組立体の美的外観を向上させる手段が、従来技術において知られている。前述の要素が本物の宝石ではないときには、この手段により、本物の石であるとの錯覚ももたらされる。従来技術において、この輝きの増大は、装飾要素が取り付けられるドームの内壁を研磨して、装飾要素を透過する光を反射させ、これにより、生じる輝きを増大させることによって達成される。
【発明の概要】
【発明が解決しようとする課題】
【０００４】
しかしながら、生じる問題の１つは、この輝きが、前述の装飾要素を透過する光に左右されることである。従って、夕暮れどき、又は腕時計を着用している人が暗い部屋にいるとき、装飾要素を透通する光の量がゼロ値まで大幅に減少し、従って、ユーザには、輝きが見えなくなり、通常、前述の装飾要素によりもたらされる美的効果がなくなる。
【課題を解決するための手段】
【０００５】
本発明は、要素を透過する周辺光の量が少なくなったとき又はゼロになったときでも、同じ輝きをもたらす装飾要素を有する構成を提案することにより、従来技術の欠点を克服する携帯用物品に関する。
【０００６】
従って、本発明は、そこを透過する光の反射及び屈折により要素を通じた視覚効果をもたらすために、少なくとも支持部のある部分と支持部上に保持される装飾要素との間に配置された発光材料層を含み、前述の装飾要素は、幾つかのファセットがカットされたパビリオンと、同じくファセットがカットされ、テーブルを持つクラウンとを含み、前述の要素のパビリオンは切頭形にされている、装飾効果を有する前述の携帯用物品に関し、該携帯用物品は、支持部の底部に対向する、装飾要素の切頭形パビリオンの表面が、発光材料層から０．２５ｍｍの距離をおいて配置されることを特徴とする。
【０００７】
携帯用物品の有利な実施形態は、従属する請求項２から請求項９に記載されている。
【０００８】
本発明の利点の１つは、デイライトのもとで、及び、周辺光が減少したときの両方において美的外観が目に見える、改善された美観を有する携帯用物品を提供することである。この特徴は、発光材料層に起因するものである。
【０００９】
有利な形態として、発光材料層が、各々の装飾要素と保持する支持部の底部との間に配置され、これによって、少ない周辺光において、光を生成し、宝石又は他の鉛ガラスのような装飾要素を照らすことが可能になるようにする。次いで、このことにより、付加的な美的効果がもたらされる。
【００１０】
美的効果に加えて、本発明の別の利点は、低レベルの照明においても、その美的効果が認識されるこれらの装飾要素を、インジケータとして用いることができることである。実際に、装飾要素が時計ケース上の重要な場所に配置された場合、これらが、時間を示すための基準点として働くようにすることが可能である。従って、同じく発光材料が設けられた時計の針との関連により、美的効果を利用しながら、少ない照明手段で時間を表示することが可能になる。
【００１１】
別の例は、例えば、照明が暗くなると光を発する形状又は表示、例えば星座を形成するように、装飾要素を配置することである。
【００１２】
本発明による携帯用物品の目的、利点及び特徴は、限定されない例として与えられ、添付図面によって示される、本発明の少なくとも１つの実施形態の以下の詳細な説明においてより明確に分かるであろう。
【図面の簡単な説明】
【００１３】
【図１】本発明による、腕時計の文字板の形態の携帯用物品を概略的に示す。
【図２】本発明による装飾要素の第１の変形を概略的に示す。
【図３】本発明の好ましい実施形態による装飾要素の第２の変形を概略的に示す。
【図４】本発明による装飾要素の第３の変形を概略的に示す。
【発明を実施するための形態】
【００１４】
図１は、本発明による携帯用物品の、すなわち腕時計、より具体的には腕時計の文字板１の形態の、好ましい実施形態を示す。宝石類、すなわち指輪、ネックレス、ブレスレット、又はさらに電話等の携帯用物品といった、他の実施形態を考えることもできることは明らかである。文字板は、腕時計の底板に取り付けられ、表示のために用いられる。実際には、文字板であるこの部分は、時、分、秒を示すマーキングを含むことができるが、日付等を含むこともできる。文字板はまた、これを通して日付又は月相の表示が示される特定の数の開口を有することもできる。
【００１５】
図１による文字板１は、腕時計の針のアーバー（図示せず）が通過する主要な開口を有する。魅力的なパターンを形成するように配置された、一連の装飾要素２が、文字板上に見える。図１に示される例において、一連の装飾要素は、黄道十二星座の形態をとるが、いずれかの他のパターンを作ることができることは言うまでもない。さらに、別の実施形態は、時間等を示すためにこれらの装飾要素２を用いるようにすることができる。
【００１６】
これらの装飾要素２が、図２、図３及び図４に詳細に示される。装飾要素２は、一般に、ダイヤモンドに類似したカット、又は興味深く魅力的な外観を与える他のいずれかのカットを有する透明な又は半透明の材料で作製される。可能な石のカットは、ブリリアント・カット又は長方形カット、或いは幾つかのファセットを有する他のタイプのカットである。従って、この装飾要素は、幾つかのファセットがカットされたパビリオン３と、同じくファセットがカットされ、テーブル５が設けられたクラウン４とを含む。経済的目的で、この装飾要素２は、好ましくは、ガラス、水晶、透明なプラスチック、又は鉛ガラスによって形成することができる。しかしながら、ブリリアント・カットの使用を妨げるものではない。
【００１７】
この装飾要素２は、支持部６内に収容され、次に、この支持部から出てこないように固定される。好ましい実施形態において、支持部６は、底部８が平坦であり、横壁７は円形及び円筒形である、ドームの形態をとる。壁７の上縁部９は、装飾要素２のガードル４ａの上に折り曲げられる。従って、上縁部は、ドーム６内に前述の要素を固定し、よって、該要素を所定の位置にしっかりと保持する。しかしながら、支持部６についてのいずれの可能な形態を考えることもできること、及び、幾つかの装飾要素２を含むことができる支持部６も可能であることが明らかである。さらに、支持部６上に前述の装飾要素２を保持するために、どのような手段を考えてもよいことも明らかである。
【００１８】
本発明が上述の問題を解決する方法は、ドーム６を、発光材料層１０を含むように配置することである。実際に、発光材料層１０は、ドームの底部８内に配置される。従って、発光材料は、光を放出することができ、光は、次いで装飾要素２を通過し、反射及び屈折により、さらなる輝きを与える。
【００１９】
図４に示されるように、ドーム６の壁７の内面の上に又は内面上にのみ、発光材料層１０を堆積させて、要素２を通過する光の量を増大させるか、又は単に上述の放出された光の拡散を変えることもできる。
【００２０】
好ましい実施形態において、発光材料は、燐光材料である。実際に、このタイプの材料は、デイライトで十分であるため、デイライトのもとで装飾要素２の輝きを人工的に増大させる必要がないという点で非常に実用的である。しかしながら、周辺光が減少すると、デイライトは、前述の要素２の輝きを維持するには不十分になる。周辺光が良好であるときにデイライトを蓄積することができ、かつ、周辺光が減少したときに光を放出してその減少を補うので、燐光材料は有用なものになっている。次いで、この燐光材料は、装飾要素２の輝きを保持し、これによりその美的利益が改善される。
【００２１】
さらにより好ましくは、より長時間より明るい光を放出し、放射性化学成分を含まないという特徴を有する燐光材料として、ＬＵＭＩＮＯＶＡ（登録商標）を選択することができる。
【００２２】
図３に示されるように、ドーム６は、前述の石の外観及び形態をとる装飾要素のカット全体が、前述のドーム６に入ることができるように形成される。しかしながら、スペースを節約するために、装飾要素２を切頭形にすることができる。ダイヤモンド等のカットされた要素の場合、切頭形にされた前述の要素のパビリオン３となる。この構成において、要素を切頭形にすることによって形成された表面１１が、発光材料層１０から一定の距離をおいて配置される。次に、装飾要素２の切頭面１１が前述の材料層１０と直接接触している構成と比較すると、この構成は、発光材料により放出された光のより良好な拡散を可能にし、従って、強化された視覚効果を可能にする。好ましくは、０ｍｍから０．２５ｍｍまでの間の距離が、最適な視覚効果を与えることが留意されるであろう。
【００２３】
装飾要素２を付着されたドームを含む組立体が、ドーム６の底部をハウジングの底部に結合させることによって、文字板に固定できる。文字板内での内部応力を防ぐために、ドーム６の直径は、ハウジングのものよりも僅かに小さくすることができる。しかしながら、製造の際、装飾要素１の付着されたドーム６を、直接文字板に組み込み、これにより、種々の部品間の応力の問題を防止することもできる。もちろん、上記の説明は、装飾要素２が腕時計の文字板上に配置される場合に関するものであるが、要素２を時計ケース内に組み込むことも可能であり、従って、著しい変更を加える必要はない。
【００２４】
添付の特許請求の範囲により定められる本発明の範囲から逸脱することなく、当業者には明白な種々の改変及び／又は改良、及び／又は組み合わせを、上述した本発明の種々の実施形態になし得ることが明らかであろう。
【符号の説明】
【００２５】
１  文字板；  ２  装飾要素；  ３  パビリオン；  ４  クラウン；  
４ａ  ガードル；  ５  テーブル；  ６  支持部（ドーム）；  ７  横壁；  
８  底部；  １０  発光材料層；  １１  切頭面。
【図１】
2011527198.tif 000003
【図２】
2011527198.tif 000004
【図３】
2011527198.tif 000005
【図４】
2011527198.tif 000006
【国際調査報告】
2011527198.tif 000007
2011527198.tif 000008
2011527198.tif 000009
2011527198.tif 000010
2011527198.tif 000011
2011527198.tif 000012